(57)【要約】【課題】情報画像を表示可能な表示装置において、動作開始時の無表示時間を短縮させる。【解決手段】表示装置１は、情報画像６〜９を表示可能な表示パネル２と、情報画像６〜９の画像データを圧縮した圧縮データを記憶しておく記憶手段３１と、記憶手段３１から転送された圧縮データを記憶する画像メモリ４１と、画像メモリ４１に記憶された圧縮データを解凍し、且つ、解凍した画像データに基いて情報画像６〜９を表示パネル２に表示させる制御手段３、４とを備える。これにより、表示装置の動作開始時の無表示時間を短縮できる。【選択図】図１
2008275923.tif 000002
【特許請求の範囲】
【請求項１】
情報画像を表示可能な表示パネルと、
前記情報画像の画像データを圧縮した圧縮データを記憶しておく記憶手段と、
前記記憶手段から転送された前記圧縮データを記憶する画像メモリと、
前記画像メモリに記憶された前記圧縮データを解凍し、且つ、解凍した前記画像データに基いて前記情報画像を前記表示パネルに表示させる制御手段とを備えることを特徴とする表示装置。
【請求項２】
前記表示パネルは、複数の前記情報画像を表示可能に構成され、
前記複数の前記圧縮データを前記記憶手段に記憶しておき、
前記記憶手段から転送された前記複数の前記圧縮データを前記画像メモリに記憶させ、
前記制御手段は、前記画像メモリに記憶された前記複数の前記圧縮データを解凍し、且つ、解凍した該複数の前記画像データに基いて該複数の前記情報画像を前記表示パネルに表示させることを特徴とする請求項１に記載の表示装置。
【請求項３】
前記圧縮データの前記転送は、前記記憶手段から前記画像メモリに該圧縮データを直接書き込むダイレクト・メモリ・アクセス転送であることを特徴とする請求項１または請求項２に記載の表示装置。
【請求項４】
情報を物理量として表す前記情報画像は、目盛を構成する目盛画像と、該目盛画像を指し示すように構成された指針画像とを備え、
前記制御手段は、前記物理量の増減にしたがって前記指針画像が前記目盛画像に沿って動くように前記情報画像を表示させることを特徴とする請求項１ないし請求項３のいずれか一項に記載の表示装置。
【請求項５】
自動車に搭載される表示装置であって、
前記情報画像は、当該自動車の速度と当該自動車のエンジン回転数のいずれかを表すことを特徴とする請求項１ないし請求項４のいずれか一項に記載の表示装置。
【発明の詳細な説明】
【技術分野】
【０００１】
本発明は、情報画像を表示可能な表示装置に関するものである。
【背景技術】
【０００２】
車両用の表示装置として、当該車両の速度を表す情報画像や、当該車両のエンジン回転数を表す情報画像等を表示可能な表示装置が開示されている（特許文献１を参照）。この表示装置は、マトリックス状に複数の画素が形成されている液晶パネル等の表示パネルに情報画像が表示されるように構成されている。
【特許文献１】特開平９−１２３８４８号公報
【発明の開示】
【発明が解決しようとする課題】
【０００３】
上述の背景技術においては、ＲＯＭに情報画像の画像データを記憶させておき、ＲＯＭから画像データを画像メモリに転送して記憶させ、画像メモリに記憶された画像データに基いて表示パネルに情報画像を表示させる。しかし、画像データのデータ量が大きいため、ＲＯＭから画像データを画像メモリに転送して記憶させるには時間を要する。このため、表示装置の動作開始時において、表示パネルが無表示状態になる時間が長くなるという問題が生じている。
【０００４】
本発明は、このような事情を考慮してなされたものであり、情報画像を表示可能な表示装置において、動作開始時の無表示時間を短縮させることを目的とする。
【課題を解決するための手段】
【０００５】
本発明は上記目的を達成するため、以下の技術的手段を採用する。
【０００６】
請求項１に記載の表示装置は、情報画像を表示可能な表示パネルと、情報画像の画像データを圧縮した圧縮データを記憶しておく記憶手段と、記憶手段から転送された圧縮データを記憶する画像メモリと、画像メモリに記憶された圧縮データを解凍し、且つ、解凍した画像データに基いて情報画像を表示パネルに表示させる制御手段とを備えることを特徴とする。
【０００７】
この構成では、記憶手段から画像メモリに圧縮データを転送するため、記憶手段から画像メモリに画像データを転送する場合と比較して転送時間を短縮できる。また、この構成では、記憶手段に圧縮データを記憶しておくため、画像データを圧縮する時間が不要である。また、この構成では、記憶手段から転送されて画像メモリに記憶された圧縮データを解凍し、この解凍した画像データに基いて情報画像を表示パネルに表示させる。
【０００８】
したがって、画像データを画像メモリに転送して情報画像を表示パネルに表示させる場合と比較して、表示装置の動作開始時から情報画像を表示させるまでの時間を短縮できる。即ち、表示装置の動作開始時の無表示時間を短縮できる。
【０００９】
請求項２に記載の表示装置は、表示パネルが、複数の情報画像を表示可能に構成され、複数の圧縮データを記憶手段に記憶しておき、記憶手段から転送された複数の圧縮データを画像メモリに記憶させ、制御手段が、画像メモリに記憶された複数の圧縮データを解凍し、且つ、解凍した複数の画像データに基いて複数の情報画像を表示パネルに表示させることを特徴とする。
【００１０】
この構成では、記憶手段から画像メモリに複数の圧縮データを転送する。これにより、複数の画像データを転送する場合と比較して、圧縮データの転送による短縮分が複数加算されて、転送時間を大幅に短縮できる。また、この構成では、記憶手段に複数の圧縮データを記憶しておくため、複数の画像データを圧縮する時間が不要である。また、この構成では、記憶手段から転送されて画像メモリに記憶された複数の圧縮データを解凍し、この解凍した画像データに基いて情報画像を表示パネルに表示させる。
【００１１】
したがって、複数の画像データを画像メモリに転送して複数の情報画像を表示パネルに表示させる場合と比較して、表示装置の動作開始時から複数の情報画像を表示させるまでの時間を大幅に短縮できる。即ち、複数の情報画像を表示可能な表示装置において、動作開始時の無表示時間を大幅に短縮できる。
【００１２】
請求項３に記載の表示装置は、圧縮データの転送は、記憶手段から画像メモリに圧縮データを直接書き込むダイレクト・メモリ・アクセス転送であることを特徴とする。ダイレクト・メモリ・アクセス転送により、制御手段の演算処理を介さないで記憶手段から画像メモリに圧縮データを直接書き込むため、転送時間をさらに短縮できる。これにより、表示装置の動作開始時の無表示時間をさらに短縮できる。
【００１３】
請求項４に記載の表示装置は、情報を物理量として表す情報画像が、目盛を構成する目盛画像と、目盛画像を指し示すように構成された指針画像とを備え、制御手段が、物理量の増減にしたがって指針画像が目盛画像に沿って動くように情報画像を表示させることを特徴とする。これにより、指針画像を備えた情報画像によって、物理量を的確に表すことができる。
【００１４】
請求項５に記載の表示装置は、自動車に搭載される表示装置であって、情報画像が、当該自動車の速度と当該自動車のエンジン回転数のいずれかを表すことを特徴とする。これにより、上述の効果を得つつ、情報画像が、当該自動車の速度と当該自動車のエンジン回転数のいずれかを表すことができる。
【発明を実施するための最良の形態】
【００１５】
以下、本発明による表示装置を図面に基づいて説明する。
【００１６】
図１に示す表示装置１は、例えば、車載用の表示装置として使用され、表示パネルである液晶パネル２と、制御手段であるＣＰＵ（セントラル・プロセッシング・ユニット）３と描画ＩＣ（集積回路）４と、記憶手段であるＦＬＡＳＨＲＯＭ３１と、記憶データの書き換えが可能な画像メモリ４１とを備える。
【００１７】
マトリックス状に複数の画素２１が形成されている液晶パネル２は、図示しない薄膜トランジスタ（ＴＦＴ）によって駆動されるタイプのアクティブマトリックス方式の液晶パネルである。また、各画素２１は、赤色画素と緑色画素と青色画素を内蔵し、ＴＦＴのゲートに電圧を印加することによって各画素２１において赤色画素と緑色画素と青色画素に印加する電圧を制御し、これにより、各画素２１において赤色画素と緑色画素と青色画素の各光透過率を制御する。図示しない白色光を発する発光ダイオードが、液晶パネル２の背後に配置されて液晶パネル２を透過照明する。赤色画素と緑色画素と青色画素の各光透過率が制御されている各画素２１を発光ダイオードが透過照明することによって、液晶パネル２にフルカラー表示をさせる。
【００１８】
ＣＰＵ３は、情報である当該自動車のエンジン回転数や当該自動車の速度やインジケータ／ウォーニング情報を、回転センサ５１や速度センサ５２やインジケータ／ウォーニングセンサ５３の信号として取り込み、これらを描画ＩＣ４に入力させる。ＣＰＵ３は、当該自動車のイグニッションスイッチ１０を介してバッテリ１１から給電されて動作する。
【００１９】
回転センサ５１は、当該自動車のエンジン回転数を検出するセンサであり、速度センサ５２は、当該自動車の速度を検出するセンサである。インジケータ／ウォーニングセンサ５３は、当該自動車に備わる機器の作動状態を報知するインジケータや当該自動車の異常を警告するウォーニングに関するセンサである。
【００２０】
ＦＬＡＳＨＲＯＭ３１には、図２に示す情報画像である回転メータ画像６と、情報画像である速度メータ画像７と、情報画像であるインジケータ／ウォーニング画像９の各画像データを圧縮した圧縮データが記憶されている。
【００２１】
ＣＰＵ３からの指示により、ＣＰＵ３の演算処理を介さないでＦＬＡＳＨＲＯＭ３１から画像メモリ４１へ圧縮データを直接書き込むダイレクト・メモリ・アクセス（ＤＭＡ）転送がなされる。描画ＩＣ４は、画像メモリ４１に記憶された圧縮データを解凍（展開）し、この解凍した画像データと、入力したエンジン回転数や速度やインジケータ／ウォーニングの各情報とに基いて、各画素２１において赤色画素と緑色画素と青色画素に印加する電圧を制御し、複数の画素２１の各表示状態を制御する。これにより、図２に示すように、回転メータ画像６や、速度メータ画像７や、インジケータ／ウォーニング画像９の複数の情報画像を液晶パネル２に表示させる。
【００２２】
回転メータ画像６は、情報を物理量である当該自動車のエンジン回転数として表す情報画像であり、目盛を構成する目盛画像６２と、文字を構成する文字画像６３と、目盛画像６２と文字画像６３とを指し示すように構成された指針画像６１とを備える。ＣＰＵ３と描画ＩＣ４は、画像メモリ４１に記憶された回転メータ画像６の画像データの圧縮データを解凍し、この解凍した画像データと、入力した当該自動車のエンジン回転数とに基いて、エンジン回転数の増減にしたがって指針画像６１が目盛画像６２に沿って（矢印Ｐ方向へ）動く（回動する）ように回転メータ画像６を表示させる。これにより、指針画像６１を備えた回転メータ画像６によって当該自動車のエンジン回転数を的確に表すことができる。
【００２３】
速度メータ画像７は、情報を物理量である当該自動車の速度として表す情報画像であり、目盛を構成する目盛画像７２と、文字を構成する文字画像７３と、目盛画像７２と文字画像７３とを指し示すように構成された指針画像７１とを備える。ＣＰＵ３と描画ＩＣ４は、画像メモリ４１に記憶された速度メータ画像７の画像データの圧縮データを解凍し、この解凍した画像データと、入力した当該自動車の速度とに基いて、速度の増減にしたがって指針画像７１が目盛画像７２に沿って（矢印Ｑ方向へ）動く（回動する）ように速度メータ画像７を表示させる。これにより、指針画像７１を備えた速度メータ画像７によって当該自動車の速度を的確に表すことができる。
【００２４】
また、情報画像である水温メータ画像８１は、情報を物理量である当該自動車のエンジン冷却水温度として表す情報画像であり、情報画像である燃料メータ画像８２は、情報を物理量である当該自動車の残存燃料量として表す情報画像である。水温メータ画像８１と燃料メータ画像８２も、回転メータ画像６と速度メータ画像７と同様にして、当該自動車のエンジン冷却水温度と当該自動車の残存燃料量を、それぞれ、的確に表すことができる。
【００２５】
インジケータ／ウォーニング画像９は、インジケータとウォーニングを表す情報画像である。ＣＰＵ３と描画ＩＣ４は、画像メモリ４１に記憶されたインジケータ／ウォーニング画像９の画像データの圧縮データを解凍し、この解凍した画像データと、インジケータ／ウォーニング情報とに基いて、インジケータ／ウォーニング画像９の表示状態を制御する。例えば、インジケータ／ウォーニング情報にしたがって、インジケータ／ウォーニング画像９を表示させたり表示させなかったり、または、インジケータ／ウォーニング画像９の表示色を切り替えたりする。このようにして、インジケータ／ウォーニング画像９によってインジケータ／ウォーニング情報を的確に表すことができる。
【００２６】
イグニッションスイッチ１０がオンされると、ＣＰＵ３は、バッテリ１１から給電されて作動し、表示装置１の動作が開始する。この表示装置１の動作開始時に、ＣＰＵ３は、複数の圧縮データの全部を画像メモリ４１にＤＭＡ転送する。
【００２７】
ＦＬＡＳＨＲＯＭ３１から画像メモリ４１に圧縮データを転送するため、ＦＬＡＳＨＲＯＭ３１から画像メモリ４１に画像データを転送する場合と比較して転送時間を短縮できる。また、ＦＬＡＳＨＲＯＭ３１から画像メモリ４１に複数の圧縮データを転送する。これにより、複数の画像データを転送する場合と比較して、各圧縮データの転送による短縮分が複数加算されて、転送時間を大幅に短縮できる。また、ＤＭＡ転送により、ＣＰＵ３の演算処理を介さないでＦＬＡＳＨＲＯＭ３１から画像メモリ４１に圧縮データを直接書き込むため、転送時間をさらに短縮できる。
【００２８】
また、ＦＬＡＳＨＲＯＭ３１に複数の圧縮データを記憶しておくため、複数の画像データを圧縮する時間が不要となる。また、ＣＰＵ３と描画ＩＣ４は、ＦＬＡＳＨＲＯＭ３１から転送されて画像メモリ４１に記憶された複数の圧縮データを解凍し、この解凍した複数の画像データと入力したエンジン回転数等の各情報とに基いて、情報画像６〜９を液晶パネル２に表示させる。
【００２９】
したがって、複数の画像データの全部をＦＬＡＳＨＲＯＭ３１から画像メモリ４１に転送して複数の情報画像６〜９の全部を液晶パネル２に表示させる場合と比較して、表示装置１の動作開始時から複数の情報画像６〜９の全部を表示させるまでの時間を大幅に短縮できる。即ち、複数の情報画像６〜９を表示可能な表示装置１において、動作開始時の無表示時間を大幅に短縮できる。
【００３０】
次に、以上のように構成された表示装置１において、表示装置１の動作開始時においてＣＰＵ３が実行する制御フローを、図３に基いて説明する。
【００３１】
イグニッションスイッチ１０がオンされて制御フローがスタートし、ステップＳ１０でＣＰＵ３が起動したか否かを判定する。ステップＳ１０が「ＹＥＳ」の場合、即ち、ＣＰＵ３が起動したと判定された場合、ステップＳ２０で描画ＩＣ４の初期化処理を行う。
【００３２】
ステップＳ２０の後に、ステップＳ３０で、複数の情報画像６〜９の全画像データの全圧縮データを、ＦＬＡＳＨＲＯＭ３１から画像メモリ４１にＤＭＡ転送する。ステップ３０の後に、ステップＳ４０で、画像メモリ４１に記憶されたこの全圧縮データを解凍して、全画像データとする。ステップＳ４０の後に、ステップＳ５０で、この全画像データと入力したエンジン回転数等の情報とに基いて、図２に示すように、複数の情報画像６〜９の全部を液晶パネル２に表示させる。
【００３３】
ステップＳ５０で、この制御フローを終了する。また、ステップＳ１０が「ＮＯ」の場合も、即ち、ＣＰＵ３が起動していないと判定された場合も、この制御フローを終了する。
【００３４】
以上、本実施形態による表示装置１は、情報画像である回転メータ画像６と速度メータ画像７と水温メータ画像８１と燃料メータ画像８２とインジケータ／ウォーニング画像９を表示可能な表示パネルである液晶パネル２と、情報画像６〜９の画像データを圧縮した圧縮データを記憶しておく記憶手段であるＦＬＡＳＨＲＯＭ３１と、ＦＬＡＳＨＲＯＭ３１から転送された圧縮データを記憶する画像メモリ４１と、画像メモリ４１に記憶された圧縮データを解凍し、且つ、解凍した画像データに基いて情報画像６〜９を液晶パネル２に表示させる制御手段であるＣＰＵ３と描画ＩＣ４とを備える。これにより、表示装置の動作開始時の無表示時間を短縮できる。
【００３５】
（変形例）
上述の例では、液晶パネル２が、それぞれ情報を表す複数の情報画像６〜９を表示可能に構成され、各情報画像６〜９の圧縮データをＦＬＡＳＨＲＯＭ３１に記憶しておき、ＦＬＡＳＨＲＯＭ３１からＤＭＡ転送された複数の圧縮データを画像メモリ４１に記憶させた。また、ＣＰＵ３と描画ＩＣ４が、画像メモリ４１に記憶された複数の圧縮データを解凍し、且つ、解凍した複数の画像データに基いて複数の情報画像６〜９を液晶パネル２に表示させた。
【００３６】
しかし、これに限らないで、液晶パネル２が、情報を表す１個の情報画像を表示可能に構成され、この情報画像の圧縮データをＦＬＡＳＨＲＯＭ３１に記憶しておき、ＦＬＡＳＨＲＯＭ３１から転送された１個の圧縮データを画像メモリ４１に記憶させる構成とすることも可能である。また、ＣＰＵ３と描画ＩＣ４が、画像メモリ４１に記憶された１個の圧縮データを解凍し、且つ、解凍した１個の画像データに基いて１個の情報画像を液晶パネル２に表示させる。
【００３７】
この構成でも、ＦＬＡＳＨＲＯＭ３１から画像メモリ４１に１個の圧縮データを転送するため、ＦＬＡＳＨＲＯＭ３１から画像メモリ４１に１個の画像データを転送する場合と比較して転送時間を短縮できる。また、この構成では、ＦＬＡＳＨＲＯＭ３１に１個の圧縮データを記憶しておくため、１個の画像データを圧縮する時間が不要である。また、この構成でも、ＦＬＡＳＨＲＯＭ３１から転送されて画像メモリ４１に記憶された１個の圧縮データを解凍し、この解凍した１個の画像データに基いて１個の情報画像を液晶パネル２に表示させる。
【００３８】
したがって、１個の画像データを画像メモリ４１に転送して１個の情報画像を液晶パネル２に表示させる場合と比較して、表示装置１の動作開始時から１個の情報画像を表示させるまでの時間を短縮できる。即ち、この構成でも、表示装置１の動作開始時の無表示時間を短縮できる。
【００３９】
また、上述の例では、圧縮データを記憶しておく記憶手段としてＦＬＡＳＨＲＯＭを用いたが、これに代えて通常のＲＯＭを用いることも可能である。
【００４０】
また、液晶パネル２を、フルカラー表示をしないモノクロ液晶パネルとすることも可能である。
【００４１】
また、受光型（非発光型）の表示パネルである液晶パネル２の代わりに、発光型の表示パネルであるＥＬ（エレクトロ・ルミネセンス）表示パネルを使用することも可能である。
【００４２】
また、上述した例に限らないで、これらの組み合わせや、他の種々の変形例が考えられる。
【図面の簡単な説明】
【００４３】
【図１】図１は、本発明の一実施形態による表示装置1の回路構成図である。
【図２】図２は、図１に示す液晶パネル２の正面図である。
【図３】図３は、図１中のＣＰＵ３が実行する制御フローを示すフローチャートである。
【符号の説明】
【００４４】
１  表示装置、２  液晶パネル（表示パネル）、２１  画素、３  ＣＰＵ（制御手段）
３１  ＦＬＡＳＨＲＯＭ（記憶手段）、４  描画ＩＣ（制御手段）、４１  画像メモリ
５１  回転センサ、５２  速度センサ、５３  インジケータ／ウォーニングセンサ
６  回転メータ画像（情報画像）、６１  指針画像、６２  目盛画像、６３  文字画像
７  速度メータ画像（情報画像）、７１  指針画像、７２  目盛画像、７３  文字画像
８１  水温メータ画像（情報画像）、８２  燃料メータ画像（情報画像）
９  インジケータ／ウォーニング画像（情報画像）、１０  イグニッションスイッチ
１１  バッテリ
【図１】
2008275923.tif 000003
【図２】
2008275923.tif 000004
【図３】
2008275923.tif 000005